(57)【特許請求の範囲】
【請求項１】
循環給湯システム内を流動する給湯水を所定の水位で収容する貯湯部および前記貯湯部の上方に位置して空気を収容する空気だまり部を有するタンクと、前記空気だまり部に位置して給湯水を噴霧するノズルと、前記貯湯部から給湯水を流出させる流出管と、前記流出管に設置されて前記貯湯部から給湯水を強制的に流出させる流出ポンプと、前記空気だまり部に外気を給気する給気管と、給湯水に含まれていた溶存酸素、遊離炭酸、残留塩素を前記空気だまり部から空気とともに大気に開放する排気管とを備えた開放式脱気装置において、
前記開放式脱気装置が、前記貯湯部に溜まった給湯水の水位または該貯湯部に溜まった給湯水の圧力を測定するセンサと、前記流水ポンプの回転速度を可変する電圧または周波数と前記センサが測定した前記給湯水の水位または圧力との相関関係を記憶しつつ、前記センサから送られた測定信号に基づいて、前記ノズルから前記貯湯部に流入する給湯水の流入量と前記流出管を通って該貯湯部から流出する給湯水の流出量とのバランスを保持するように、前記流出ポンプに流れる給湯水の流量を調節するコントローラとを有し、
前記コントローラは、前記循環給湯システムにおいて給湯水の使用量が急激に増加し、前記ノズルから前記貯湯部に流入する給湯水の流入量が減少し、前記センサから送られた測定信号によって前記貯湯部に溜まった給湯水の水位が下がったと判断すると、前記相関関係に当てはめて前記センサから送られた測定信号が示す前記給湯水の下がった水位または下がった圧力に対応する電圧または周波数を特定し、特定した電圧または周波数によって前記流出ポンプの回転速度を減少させて該流出ポンプに流れる給湯水の流量を減少させ、
前記コントローラは、前記循環給湯システムにおいて使用されていた多量の給湯水の使用量が急激に減少し、前記ノズルから前記貯湯部に流入する給湯水の流入量が増加し、前記センサから送られた測定信号によって前記貯湯部に溜まった給湯水の水位が上がったと判断すると、前記相関関係に当てはめて前記センサから送られた測定信号が示す前記給湯水の上がった水位または上がった圧力に対応する電圧または周波数を特定し、特定した電圧または周波数によって前記流出ポンプの回転速度を増加させて該流出ポンプに流れる給湯水の流量を増加させることを特徴とする開放式脱気装置。
【請求項２】
前記コントローラは、インバーターを利用して前記流出ポンプの回転速度を制御し、前記流出ポンプに流れる給湯水の流量を調節する請求項１に記載の開放式脱気装置。
【請求項３】
前記循環給湯システムが、給湯源から供給された給湯水が流れる往管と、前記給湯源に給湯水を戻す還管と、前記還管または前記給湯源に水を補給する給水管と、それら管に給湯水を強制的に循環させる循環ポンプとを備え、前記開放式脱気装置が、前記往管と前記還管との少なくとも一方に設置されている請求項１または請求項２に記載の開放式脱気装置。
【請求項４】
循環給湯システム内を流動する給湯水の供給圧力の変動に対応させて、前記給湯水に含まれる溶存酸素、遊離炭酸、残留塩素を除去する開放式脱気装置に流れる該給湯水の流量を制御する流量制御方法において、
前記開放式脱気装置が、循環給湯システム内を流動する給湯水を所定の水位で収容する貯湯部および前記貯湯部の上方に位置して空気を収容する空気だまり部を有するタンクと、前記空気だまり部に位置して給湯水を噴霧するノズルと、前記貯湯部から給湯水を流出させる流出管と、前記流出管に設置されて前記貯湯部から給湯水を強制的に流出させる流出ポンプと、前記空気だまり部に外気を給気する給気管と、給湯水に含まれていた溶存酸素、遊離炭酸、残留塩素を前記空気だまり部から大気に開放する排気管とを備え、
前記流量制御方法は、前記開放式脱気装置の貯湯部に溜まった給湯水の水位または水圧を測定しつつ、前記循環給湯システムにおいて給湯水の使用量が急激に増加し、前記ノズルから前記貯湯部に流入する給湯水の流入量が減少し、前記貯湯部に溜まった給湯水の水位が下がったと判断すると、前記流水ポンプの回転速度を可変する電圧または周波数と前記給湯水の水位または圧力との相関関係に当てはめて、前記給湯水の下がった水位または下がった圧力に対応する電圧または周波数を特定し、特定した電圧または周波数によって前記流出ポンプの回転速度を減少させて該流出ポンプに流れる給湯水の流量を減少させ、
前記流量制御方法は、前記循環給湯システムにおいて使用されていた多量の給湯水の使用量が急激に減少し、前記ノズルから前記貯湯部に流入する給湯水の流入量が増加し、前記貯湯部に溜まった給湯水の水位が上がったと判断すると、前記相関関係に当てはめて前記給湯水の上がった水位または上がった圧力に対応する電圧または周波数を特定し、特定した電圧または周波数によって前記流出ポンプの回転速度を増加させて該流出ポンプに流れる給湯水の流量を増加させ、前記開放式脱気装置のノズルから前記貯湯部に流入する給湯水の流入量と前記流出管を通って前記貯湯部から流出する給湯水の流出量とのバランスを保持し得るように、前記流出ポンプに流れる給湯水の流量を調節することを特徴とする流量制御方法。
【発明の詳細な説明】
【技術分野】
【０００１】
本発明は、開放式脱気装置および流量制御方法に関する。
【背景技術】
【０００２】
建築物に利用される給湯システムとして、中央給湯方式の循環給湯システムがある。循環給湯システムの一例は、密閉型貯湯槽と、貯湯槽から流出する給湯水が流れる往管と、貯湯槽に給湯水を戻す還管と、貯湯槽に水を送る高置水槽と、それら管に給湯水を強制的に循環させる循環ポンプとから構成される。一例として示す循環給湯システムでは、高置水槽に貯水された水が地上または地下に設置された密閉型貯湯槽に送られ、貯湯槽に設置された熱源によって加熱されて給湯水が作られる。給湯水は、供給圧力によって往管から還管に流入した後、還管から再び貯湯槽に戻って加熱される。給湯水は、管に設置された給湯栓を開栓することによって使用され、給湯水のうちの使用された減少分が高置水槽から貯湯槽に補給される。
【０００３】
循環給湯システムにおいて利用される往管や還管としては、銅管や銅合金管、ステンレス管が使用される。銅管や銅合金管、ステンレス管は、給湯水に含まれる溶存酸素、遊離炭酸、残留塩素が原因で孔食や潰食等の腐食が生じる場合があり、その腐食によって給湯水がそれら管から漏水する場合がある。それら管に腐食が発生し、または、それら管に漏水が発生した場合、管の修理や交換等のメンテナンスを頻繁に行わなければならず、手間を要するのみならず、循環給湯システムを維持するためのコストが大幅に上昇してしまう。それら管の腐食や漏水を防ぐため、循環給湯システムに設置されて給湯水に含まれる溶存酸素、遊離炭酸、残留塩素を除去する開放式脱気装置が開示されている（特許文献１参照）。
【０００４】
特許文献１に開示の開放式脱気装置は、循環給湯システム内を流動する給湯水の所定量を所定の水位で収容する貯湯部および貯湯部の上方に位置して所定量の空気を収容する空気だまり部を有するタンクと、空気だまり部に位置して給湯水を噴霧するノズルと、貯湯部から給湯水を流出させる流出管と、流出管に設置されて貯湯部から給湯水を強制的に流出させる流出ポンプと、空気だまり部に外気を給気する給気管と、給湯水に含まれていた溶存酸素、遊離炭酸、残留塩素を空気だまり部から空気とともに大気に開放する排気管とから形成されている。この開放式脱気装置は、循環給湯システムの往管に設置されている。
【０００５】
開放式脱気装置では、往管を流動する給湯水の一部が往管から分岐する流入管に流入し、流入管からタンクの空気だまり部に位置するノズルに達し、給湯水がノズルから空気だまり部に噴霧される。ノズルから噴霧された給湯水は、約６０℃の温度に加熱されており、微細な粒子状となってタンクの空気だまり部へ放出されるとともに、それに含まれていた溶存空気や遊離炭酸、残留塩素が分離される。溶存空気や遊離炭酸、残留塩素と分離された微粒子状の給湯水は、タンクにおいて水滴となって貯湯部に落下する。貯湯部の給湯水は、流出管を通ってタンクの外部に流出した後、流出管から再び往管に戻される。給湯水から分離されてタンクの空気だまり部に残存する溶存酸素や遊離炭酸、残留塩素は、空気だまり部の空気とともに排気管を通ってタンクの外部（大気）に放出される。
【先行技術文献】
【特許文献】
【０００６】
【特許文献１】特開２０１０−２５５８８２号公報
【発明の概要】
【発明が解決しようとする課題】
【０００７】
前記特許文献１に開示の開放式脱気装置は、循環給湯システムにおいて給湯水の使用量が急激に増加し、往管や還管に流れる給湯水の圧力が低下してノズルから噴霧される給湯水の流入量が減り、タンクの貯湯部に溜まった給湯水の水位が下がると、タンクの空気だまり部の気圧が陰圧になり、外気が排気管からタンク内に進入し、空気だまり部に残存する溶存空気や遊離炭酸、残留塩素を大気に放出することができない。逆に、循環給湯システムにおいて給湯水の使用量が急激に低下し、往管や還管に流れる給湯水の圧力が増加してノズルから噴霧される給湯水の流入量が増え、タンクの貯湯部に溜まった給湯水の水位が必要以上に上がると、給湯水が給気管の空気流出口を塞ぎ、給気管から空気だまり部に空気が給気されず、その結果、排気管から空気を排気することができず、空気だまり部に残存する溶存空気や遊離炭酸、残留塩素を大気に放出することができない。また、この開放式脱気装置は、流出ポンプにおける給湯水の流量を変えることができないから、装置を設置する建築物の循環給湯システムの配管内圧力の違いによって流出ポンプの能力を選定し、ポンプをカスタマイズ交換する必要があり、流出ポンプを交換する手間とコストとを要する。
【０００８】
本発明の目的は、循環給湯システムにおいて給湯水の使用量が急激に増加し、タンクの貯湯部に溜まった給湯水の水位が下がるように変化したとしても、給湯水から分離された溶存酸素や遊離炭酸、残留塩素を大気に放出することができる開放式脱気装置およびその開放式脱気装置に流れる給湯水の流量を制御する流量制御方法を提供することにある。本発明の他の目的は、循環給湯システムにおいて給湯水の使用量が急激に減少し、タンクの貯湯部に溜まった給湯水の水位が上がるように変化したとしても、給湯水から分離された溶存酸素や遊離炭酸、残留塩素を大気に放出することができる開放式脱気装置およびその開放式脱気装置に流れる給湯水の流量を制御する流量制御方法を提供することにある。
【課題を解決するための手段】
【０００９】
前記課題を解決するための本発明の第１の前提は、循環給湯システム内を流動する給湯水を所定の水位で収容する貯湯部および貯湯部の上方に位置して空気を収容する空気だまり部を有するタンクと、空気だまり部に位置して給湯水を噴霧するノズルと、貯湯部から給湯水を流出させる流出管と、流出管に設置されて貯湯部から給湯水を強制的に流出させる流出ポンプと、空気だまり部に外気を給気する給気管と、給湯水に含まれていた溶存酸素、遊離炭酸、残留塩素を空気だまり部から空気とともに大気に開放する排気管とを備えた開放式脱気装置である。
【００１０】
前記第１の前提における本発明の特徴は、開放式脱気装置が、貯湯部に溜まった給湯水の水位または貯湯部に溜まった給湯水の圧力を測定するセンサと、流水ポンプの回転速度を可変する電圧または周波数とセンサが測定した給湯水の水位または圧力との相関関係を記憶しつつ、センサから送られた測定信号に基づいて、ノズルから貯湯部に流入する給湯水の流入量と流出管を通って貯湯部から流出する給湯水の流出量とのバランスを保持するように、流出ポンプに流れる給湯水の流量を調節するコントローラとを有し、コントローラは、循環給湯システムにおいて給湯水の使用量が急激に増加し、ノズルから貯湯部に流入する給湯水の流入量が減少し、センサから送られた測定信号によって貯湯部に溜まった給湯水の水位が下がったと判断すると、前記相関関係に当てはめてセンサから送られた測定信号が示す給湯水の下がった水位または下がった圧力に対応する電圧または周波数を特定し、特定した電圧または周波数によって流出ポンプの回転速度を減少させて流出ポンプに流れる給湯水の流量を減少させ、循環給湯システムにおいて使用されていた多量の給湯水の使用量が急激に減少し、ノズルから貯湯部に流入する給湯水の流入量が増加し、センサから送られた測定信号によって貯湯部に溜まった給湯水の水位が上がったと判断すると、前記相関関係に当てはめてセンサから送られた測定信号が示す給湯水の上がった水位または上がった圧力に対応する電圧または周波数を特定し、特定した電圧または周波数によって流出ポンプの回転速度を増加させて流出ポンプに流れる給湯水の流量を増加させることにある。
【００１１】
本発明の開放式脱気装置の一例として、コントローラは、インバーターを利用して流出ポンプの回転速度を制御し、流出ポンプに流れる給湯水の流量を調節する。
【００１２】
本発明の開放式脱気装置の他の一例としては、循環給湯システムが、給湯源から供給された給湯水が流れる往管と、給湯源に給湯水を戻す還管と、還管または給湯源に水を補給する給水管と、それら管に給湯水を強制的に循環させる循環ポンプとを備え、開放式脱気装置が往管と還管との少なくとも一方に設置されている。
【００１３】
前記課題を解決するための本発明の第２の前提は、循環給湯システム内を流動する給湯水の供給圧力の変動に対応させて、前記給湯水に含まれる溶存酸素、遊離炭酸、残留塩素を除去する開放式脱気装置に流れる該給湯水の流量を制御する流量制御方法である。
【００１４】
前記第２の前提における本発明の流量制御方法の特徴は、開放式脱気装置が、循環給湯システム内を流動する給湯水を所定の水位で収容する貯湯部および貯湯部の上方に位置して空気を収容する空気だまり部を有するタンクと、空気だまり部に位置して給湯水を噴霧するノズルと、貯湯部から給湯水を流出させる流出管と、流出管に設置されて貯湯部から給湯水を強制的に流出させる流出ポンプと、空気だまり部に外気を給気する給気管と、給湯水に含まれていた溶存酸素、遊離炭酸、残留塩素を空気だまり部から大気に開放する排気管とを備え、流量制御方法は、開放式脱気装置の貯湯部に溜まった給湯水の水位または水圧を測定しつつ、循環給湯システムにおいて給湯水の使用量が急激に増加し、ノズルから貯湯部に流入する給湯水の流入量が減少し、貯湯部に溜まった給湯水の水位が下がったと判断すると、流水ポンプの回転速度を可変する電圧または周波数と給湯水の水位または圧力との相関関係に当てはめて、給湯水の下がった水位または下がった圧力に対応する電圧または周波数を特定し、特定した電圧または周波数によって前記流出ポンプの回転速度を減少させて流出ポンプに流れる給湯水の流量を減少させ、循環給湯システムにおいて使用されていた多量の給湯水の使用量が急激に減少し、ノズルから貯湯部に流入する給湯水の流入量が増加し、貯湯部に溜まった給湯水の水位が上がったと判断すると、前記相関関係に当てはめて給湯水の上がった水位または上がった圧力に対応する電圧または周波数を特定し、特定した電圧または周波数によって流出ポンプの回転速度を増加させて流出ポンプに流れる給湯水の流量を増加させ、開放式脱気装置のノズルから貯湯部に流入する給湯水の流入量と流出管を通って貯湯部から流出する給湯水の流出量とのバランスを保持し得るように、流出ポンプに流れる給湯水の流量を調節することにある。
【発明の効果】
【００１５】
本発明にかかる開放式脱気装置によれば、その貯湯部に溜まった給湯水の水位をセンサが測定し、センサから送られた測定信号に基づいて、ノズルから貯湯部に流入する給湯水の流入量と流出管を通って貯湯部から流出する給湯水の流出量とのバランスを保持するように、コントローラが流出ポンプに流れる給湯水の流量を調節するから、たとえば、循環給湯システム内において給湯水の使用量が急激に増加し、往管や還管に流れる給湯水の圧力が低下してノズルから噴霧される給湯水の流入量が減り、タンクの貯湯部に溜まった給湯水の水位が下がるように変化したとしても、流出ポンプに流れる給湯水の流量を調節して給湯水の流入量と流出量とのバランスが保持され、貯湯部における給湯水の水位が急激に低下することはなく、排気管からタンク内への外気の進入を防ぐことができ、空気だまり部に残存する溶存酸素や遊離炭酸、残留塩素を空気とともに大気に確実に放出することができる。開放式脱気装置は、循環給湯システム内において給湯水の使用量が急激に減少し、往管や還管に流れる給湯水の圧力が上昇してノズルから噴霧される給湯水の流入量が増え、タンクの貯湯部に溜まった給湯水の水位が上がるように変化したとしても、流出ポンプに流れる給湯水の流量を調節して給湯水の流入量と流出量とのバランスが保持され、貯湯部における給湯水の水位が必要以上に上昇することはなく、給湯水による給気管の閉塞を防ぐことができ、空気だまり部に残存する溶存酸素や遊離炭酸、残留塩素を空気とともに大気に放出することができる。開放式脱気装置は、循環給湯システムにおいてそれが確実に機能し、それによって給湯水に含まれる溶存酸素や遊離炭酸、残留塩素が給湯水から除去されるから、循環給湯システムにおいて利用される往管や還管の腐食を防ぐことができ、それら管からの給湯水の漏水を防ぐことができる。
【００１６】
開放式脱気装置は、ノズルから貯湯部に流入する給湯水の流入量が減少し、コントローラがセンサから送られた測定信号によって貯湯部に溜まった給湯水の水位が下がったと判断すると、流水ポンプの回転速度を可変する電圧または周波数とセンサが測定した給湯水の水位または圧力との相関関係に当てはめてセンサから送られた測定信号が示す給湯水の下がった水位または下がった圧力に対応する電圧または周波数を特定し、特定した電圧または周波数によって流出ポンプの回転速度を減少させて流出ポンプに流れる給湯水の流量を減少させ、流入量と流出量とのバランスを保持するから、循環給湯システム内において給湯水の使用量が急激に増加し、往管や還管に流れる給湯水の圧力が低下してノズルから噴霧される給湯水の流入量が減り、タンクの貯湯部に溜まった給湯水の水位が下がるように変化したとしても、コントローラが流出ポンプの給湯水流量を減少させて給湯水の流入量と流出量とのバランスを保持することで、貯湯部における給湯水の水位が急激に低下することはなく、排気管からタンク内への外気の進入を防ぐことができ、空気だまり部に残存する溶存酸素や遊離炭酸、残留塩素を空気とともに大気に確実に放出することができる。
【００１７】
開放式脱気装置は、ノズルから貯湯部に流入する給湯水の流入量が増加し、コントローラがセンサから送られた測定信号によって貯湯部に溜まった給湯水の水位が上がったと判断すると、流水ポンプの回転速度を可変する電圧または周波数とセンサが測定した給湯水の水位または圧力との相関関係に当てはめてセンサから送られた測定信号が示す給湯水の上がった水位または上がった圧力に対応する電圧または周波数を特定し、特定した電圧または周波数によって流出ポンプの回転速度を増加させて流出ポンプに流れる給湯水の流量を増加させ、流入量と流出量とのバランスを保持するから、循環給湯システム内において給湯水の使用量が急激に減少し、往管や還管に流れる給湯水の圧力が上昇してノズルから噴霧される給湯水の流入量が増え、タンクの貯湯部に溜まった給湯水の水位が上がるように変化したとしても、コントローラが流出ポンプの給湯水流量を増加させて給湯水の流入量と流出量とのバランスを保持することで、貯湯部における給湯水の水位が必要以上に上昇することはなく、給湯水による給気管の閉塞を防ぐことができ、空気だまり部に残存する溶存酸素や遊離炭酸、残留塩素を空気とともに大気に放出することができる。
【００１８】
開放式脱気装置は、センサが貯湯部の底位置における給湯水の圧力を測定してその測定信号をコントローラに送る圧力センサである場合、圧力センサが貯湯部における給湯水の水位を正確に測定しつつ、その測定信号をコントローラに送り、コントローラが圧力センサから送られた測定信号に基づいて流出ポンプに流れる給湯水の流量を調節し、流入量と流出量とのバランスが保持されるから、循環給湯システム内において給湯水の使用量が急激に増加し、往管や還管に流れる給湯水の圧力が低下してノズルから噴霧される給湯水の流入量が減り、タンクの貯湯部に溜まった給湯水の水位が下がるように変化したとしても、貯湯部における給湯水の水位が急激に低下することはなく、排気管からタンク内への外気の進入を防ぐことができ、空気だまり部に残存する溶存酸素や遊離炭酸、残留塩素を空気とともに大気に確実に放出することができる。また、循環給湯システム内において給湯水の使用量が急激に減少し、往管や還管に流れる給湯水の圧力が上昇してノズルから噴霧される給湯水の流入量が増え、タンクの貯湯部に溜まった給湯水の水位が上がるように変化したとしても、コントローラが流出ポンプに流れる給湯水の流量を調節し、給湯水の流入量と流出量とのバランスが保持されるから、貯湯部における給湯水の水位が必要以上に上昇することはなく、給湯水による給気管の閉塞を防ぐことができ、空気だまり部に残存する溶存酸素や遊離炭酸、残留塩素を空気とともに大気に放出することができる。
【００１９】
コントローラがインバーターを利用して流出ポンプの回転速度を制御し、流出ポンプに流れる給湯水の流量を調節する開放式脱気装置は、流出ポンプの回転速度をインバーターによって制御することで、タンクの貯湯部における給湯水の水位の低下や上昇に対してポンプの回転速度を迅速かつ円滑に対応させることができるから、給湯水の流入量と流出量とのバランスを確実に保持することができ、貯湯部における給湯水の水位の急激な低下を防ぐことができるとともに、貯湯部における給湯水の水位の必要以上の上昇を防ぐことができる。開放式脱気装置は、流出ポンプの回転速度をインバーターによって制御することで、流出ポンプにおける給湯水の流量を自由に変えることができるから、装置を設置する建築物の循環給湯システムの配管内圧力の違いによって流出ポンプの能力を選定する必要やポンプをカスタマイズ交換する必要はなく、流出ポンプを交換する手間とコストとを省くことができる。
【００２０】
開放式脱気装置が循環給湯システムの往管と還管との少なくとも一方に設置されている場合、開放式脱気装置によって給湯水に含まれる溶存酸素や遊離炭酸、残留塩素が給湯水から除去されるから、循環給湯システムにおいて利用される往管や還管の腐食を防ぐことができ、それら管からの給湯水の漏水を防ぐことができる。開放式脱気装置は、それを循環給湯システムに利用することで、往管や還管のメンテナンスを所定の間隔で定期的に行えばよく、手間を要せず、循環給湯システムを維持するためのコストを廉価にすることができる。
【００２１】
本発明にかかる流量制御方法によれば、開放式脱気装置の貯湯部に溜まった給湯水の水位を測定し、その測定結果に基づいて、開放式脱気装置のノズルから貯湯部に流入する給湯水の流入量と流出管を通って貯湯部から流出する給湯水の流出量とのバランスを保持し得るように、流出ポンプに流れる給湯水の流量を調節するから、たとえば、循環給湯システム内において給湯水の使用量が急激に増加し、往管や還管に流れる給湯水の圧力が低下してノズルから噴霧される給湯水の流入量が減り、タンクの貯湯部に溜まった給湯水の水位が下がるように変化したとしても、流水ポンプの回転速度を可変する電圧または周波数とセンサが測定した給湯水の水位または圧力との相関関係に当てはめて給湯水の下がった水位または下がった圧力に対応する電圧または周波数を特定し、特定した電圧または周波数によって流出ポンプの回転速度を減少させて流出ポンプに流れる給湯水の流量を減少させることで、流出ポンプの給湯水流量を調節して給湯水の流入量と流出量とのバランスが保持され、貯湯部における給湯水の水位が急激に低下することはなく、排気管からタンク内への外気の進入を防ぐことができ、空気だまり部に残存する溶存酸素や遊離炭酸、残留塩素を空気とともに大気に確実に放出することができる。開放式脱気装置は、循環給湯システム内において給湯水の使用量が急激に減少し、往管や還管に流れる給湯水の圧力が上昇してノズルから噴霧される給湯水の流入量が増え、タンクの貯湯部に溜まった給湯水の水位が上がるように変化したとしても、流水ポンプの回転速度を可変する電圧または周波数とセンサが測定した給湯水の水位または圧力との相関関係に当てはめて給湯水の上がった水位または上がった圧力に対応する電圧または周波数を特定し、特定した電圧または周波数によって流出ポンプの回転速度を増加させて流出ポンプに流れる給湯水の流量を増加させることで、流出ポンプの給湯水流量を調節して給湯水の流入量と流出量とのバランスが保持され、貯湯部における給湯水の水位が必要以上に上昇することはなく、給湯水による給気管の閉塞を防ぐことができ、空気だまり部に残存する溶存酸素や遊離炭酸、残留塩素を空気とともに大気に放出することができる。
【図面の簡単な説明】
【００２２】
【図１】一例として示す開放式脱気装置を含む循環給湯システムの系統図。
【図２】開放式脱気装置の概略構成図。
【図３】コントローラに格納された電圧または周波数と水位または圧力との相関関係の一例を示す図。
【図４】開放式脱気装置を利用した場合の溶存酸素低減効果検証結果を示す図。
【図５】開放式脱気装置を利用した場合の遊離炭酸低減効果検証結果を示す図。
【図６】開放式脱気装置を利用した場合の残留塩素低減効果検証結果を示す図。
【発明を実施するための形態】
【００２３】
一例として示す開放式脱気装置１０の構成図である図１等の添付の図面を参照し、本発明にかかる開放式脱気装置および流量制御方法の詳細を説明すると、以下のとおりである。なお、図２は、開放式脱気装置１０の概略構成図であり、図３は、コントローラ３１に格納された電圧または周波数と水位または圧力との相関関係の一例を示す図である。図１では、建築物の図示を省略している。図２では、上下方向を矢印Ａで示し、横方向を矢印Ｂで示す。
【００２４】
開放式脱気装置１０は、中央給湯方式の循環給湯システム１１に設置され、システム１１内を流動する給湯水１２に含まれる溶存酸素、遊離炭酸、残留塩素を効果的に除去する。流量制御方法は、循環給湯システム１１内を流動する給湯水１２の供給圧力の変動に対応させて、後記する流出ポンプ２８に流れる給湯水１２の流量を制御する。
【００２５】
循環給湯システム１１は、老人福祉施設や病院、宿泊施設等の建築物に施工される。循環給湯システム１１は、図１に示すように、ボイラー（図示せず）を備えた貯湯槽１３と、循環ポンプ１４および高置水槽１５とを有し、貯湯槽１３によって供給される給湯水１２を建築物の各室（図示せず）に送る。貯湯槽１３や循環ポンプ１４、高置水槽１５は、配管を介して連結されている。配管は、貯湯槽１３から送出された給湯水１２が流れる往管１６、貯湯槽１３に給湯水１２を戻す還管１７、還管１７または貯湯槽１３に水を補給する給水管１８から形成されている。
【００２６】
往管１６は、貯湯槽１３から延びており、還管１７は、貯湯槽１３につながっている。給水管１８は、高置水槽１５から還管１７または貯湯槽１３につながっている。往管１６は、各室に給湯水１２を供給する。各室に延びる往管１６には、給湯栓２１が取り付けられている。給湯栓２１を開栓することにより、各室において給湯水１２を使用することができる。往管１６や還管１７には、銅管や銅合金管、ステンレス管が使用されている。
【００２７】
貯湯槽１３は、高置水槽１５から供給された水をボイラーを介して加熱して給湯水１２を作り、その給湯水１２の一定量を貯湯しつつ、給湯水１２を往管１６に送出する。高置水槽１５は、各室において給湯水１２が使用されて給湯水１２が不足した場合、給水管１８を介してその不足分の水を還管１７または貯湯槽１３に補給する。循環ポンプ１４は、還管１７に設置され、給湯水１２を往管１６と還管１７とにおいて循環させる。
【００２８】
開放式脱気装置１０は、往管１６に設置されている。なお、開放式脱気装置１０は、還管１７に設置することもでき、往管１６と還管１７とに設置することもできる。開放式脱気装置１０は、図２に示すように、タンク２２およびノズル２３と、流入管２４および流出管２５と、給気管２６および排気管２７と、流出ポンプ２８およびインバーター２９と、圧力センサ３０（センサ）およびコントローラ３１とから形成されている。
【００２９】
タンク２２は、その立体形状は図示していないが、頂底壁、前後壁、両側壁の６つの壁を有する直方体の箱であり、ステンレスまたは耐熱樹脂から作られている。なお、タンク２２の立体形状に特に限定はなく、タンク２２が円筒状の箱であってもよい。タンク２２は、その下方に位置する貯湯部３２と、貯湯部３２の上方（タンク２２の上方）に位置する空気だまり部３３とを有する。貯湯部３２は、所定量の給湯水１２を所定の水位Ｌで収容（貯留）する。空気だまり部３３は、所定量の空気（開放式脱気装置１０の稼働時では溶存酸素や遊離炭酸、残留塩素を含んだ空気）を収容（貯蔵）する。図２では、貯湯部３２に収容された給湯水１２の水位Ｌがタンク２２の高さ寸法の略下半分であるが、タンク２２における給湯水１２の水位に特に限定はない。
【００３０】
ノズル２３は、流入管２４の横方向両側に設置され、空気だまり部３３に配置されている。ノズル２３は、その上端に吐出口（図示せず）を有する。ノズル２３は、銅や銅合金、ステンレスまたは耐熱樹脂から作られている。ノズル２３は、図２に示すように、その吐出口から給湯水１２を空気だまり部３２の上方に向かって噴霧する。
【００３１】
流入管２４は、往管１６から分岐して開放式脱気装置１０に入った後、タンク２２の底壁に接続されている。流入管２４は、タンク２２の上下方向へ延び、貯湯部３２を通って空気だまり部３３に達した後、横方向へ延びている。流入管２４は、銅や銅合金、ステンレスまたは耐熱樹脂から作られている。流入管２４は、往管１６に流れる給湯水１２の一部をタンク２２に流入させる。往管１６と開放式脱気装置１０との間に延びる流入管２４には、開放式脱気装置１０のメンテナンス時に使用する開閉弁３４が設置されている。開放式脱気装置１０の内部に延びる流入管２４には、電磁弁３５が設置されている。電磁弁３５は、インターフェイス４２を介してコントローラ３１に接続されている。
【００３２】
流出管２５は、タンク２２の底壁に連結され、開放式脱気装置１０を出た後、往管１６に連結されている。流出管２５は、銅や銅合金、ステンレスまたは耐熱樹脂から作られている。流出管２５は、タンク２２の貯湯部３２から所定量の給湯水１２を流出させ、その給湯水１２を往管１６に戻す。開放式脱気装置１０と往管１６との間に延びる流出管２５には、開放式脱気装置１０のメンテナンス時に使用する開閉弁３６が設置されている。流入管２４と流出管２５との間に延びる往管１６には、給湯水１２の流入管２４や貯湯槽１３への逆流を防ぐ逆止弁３７が設置されている。
【００３３】
給気管２６は、タンク２２の底壁に連結され、タンク２２内を上下方向へ延び、貯湯部３２を通って空気だまり部３３に達している。給気管２６は、銅や銅合金、ステンレス、耐熱樹脂（たとえば、耐熱ポリ塩化ビニル）から作られている。給気管２６は、タンク２２の底壁の下方に開口する空気流入口３８と、タンク２２の空気だまり部３３に開口する空気流出口３９とを有する。給気管２６は、タンク２２の空気だまり部３３に外気を給気する。
【００３４】
排気管２７は、タンク２２の頂壁に連結され、タンク２２の上方へ向かって延びた後、横方向へ向かって延びている。排気管２７は、銅や銅合金、ステンレス、耐熱樹脂（たとえば、耐熱ポリ塩化ビニル）から作られている。排気管２７は、頂壁に開口する空気流入口４０と、タンク２２の頂壁の上方に開口する空気流出口４１とを有する。排気管２７は、給湯水１２に含まれていた溶存酸素や遊離炭酸、残留塩素を空気だまり部３３から空気とともに大気に開放する。
【００３５】
流出ポンプ２８は、開放式脱気装置１０と往管１６との間に延びる流出管２５に設置されている。流出ポンプ２８は、タンク２２の貯湯部３２から所定量の給湯水１２を強制的に流出させる。流出ポンプ２８は、インターフェイス４２を介してインバーター２９に接続されている。インバーター２９は、インターフェイス４２を介してコントローラ３１に接続され、コントローラ３１からの制御信号に従い、可変電圧・可変周波数の電源によって流出ポンプ２８（モーター）の回転速度制御を行う。
【００３６】
圧力センサ３０は、タンク２２の底壁に設置され、インターフェイス４２を介してコントローラ３１に接続されている。圧力センサ３０は、タンク２２の貯湯部３２に溜まった給湯水１２（貯湯部３２の底位置の給湯水１２）の圧力（水圧）を測定し、測定した圧力をコントローラ３１に送る。圧力センサ３０としては、圧力トランスミッタを使用することが好ましい。
【００３７】
コントローラ３１は、中央処理部（ＣＰＵまたはＭＰＵ）とメモリ（主記憶部）とを有するマイクロコンピュータであり、データ記憶装置を内蔵している。コントローラ３１には、テンキーユニット（図示せず）やディスプレイ（図示せず）等の入出力装置がインターフェイスを介して接続されている。コントローラ３１の中央処理部は、オペレーティングシステムによる制御に基づいて、メモリからアプリケーションを起動し、起動したアプリケーションに従って、開放式脱気装置１０の流量制御を実施する。さらに、コントローラ３１の中央処理部は、開放式脱気装置１０の停止（ＯＦＦ）または稼働（ＯＮ）を行うとともに、電磁弁３５の弁機構の開閉操作を行う。
【００３８】
コントローラ３１のデータ記憶装置には、図３に示す電圧または周波数と水位または圧力との相関関係が格納されている。なお、図３の相関関係では、横軸にタンク２２の貯湯部３２に溜まった給湯水１２の水位または圧力が表示され、縦軸にインバーター２９の電圧または周波数が表示されている。この相関関係は、開放式脱気装置１０を使用して実際に求めた水位または圧力に対応するインバーター２９の電圧または周波数を計測した値をグラフに表示し、それらの関係を直線近似したものである。なお、相関関係は、コントローラ３１のテンキーユニットを介して自由に設定することができる。
【００３９】
循環給湯システム１１における給湯水１２の流通経路を説明すると、以下のとおりである。システム１１が起動すると、循環ポンプ１４が起動し、図１に矢印で示すように、システム１１において必要な量の水が高置水槽１５から給水管１８を介して貯湯槽１３に供給される。貯湯槽１３では、ボイラーを利用して水が加熱され、給湯水１２が約６０℃に保温されている。
【００４０】
給湯水１２は、その所定量が貯湯槽１３に貯湯されるとともに、図１に矢印で示すように、貯湯槽１３から往管１６に流入し、往管１６を通って還管１７に流入する。還管１７に流入した給湯水１２は、再び貯湯槽１３に流入し、ボイラーによって所定の温度に加熱される。このように給湯水は、貯湯槽１３→往管１６→還管１７→貯湯槽１３の順に循環する。
【００４１】
建築物の各室に延びる往管１６に取り付けられた給湯栓２１を開栓すると、居室者がその給湯水１２を使用することができる。給湯水１２が使用されると、それら往管１６や還管１７において循環する給湯水１２の量が減少するが、給湯水１２のうちの使用された減少分が高置水槽１５から貯湯槽１３（または還管１７）に補給され、システム１１における給湯水１２の必要量が維持される。
【００４２】
開放式脱気装置１０の電源（スイッチ）を入れると、コントローラ３１は、電磁弁３５の弁機構を開放し、開放式脱気装置１０（流出ポンプ２８）を起動させる。なお、流入管２４や流出管２５に設置された開閉弁３４，３６は、開放式脱気装置１０のメンテナンスの時以外はその弁機構が開放されている。開放式脱気装置１０が稼働すると、往管１６を流動する給湯水１２の一部が往管１６から分岐する流入管２４に流入する。流入管２４に流入した給湯水１２は、流入管２４を通ってノズル２３に進入し、ノズル２３の吐出口からタンク２２の空気だまり部３３の上方に向かって噴霧される。
【００４３】
吐出口から噴霧された給湯水１２は、ボイラーによって約６０℃に加熱されており、霧状や微細な粒子状となってタンク２２の空気だまり部３３へ放出されるとともに、空気だまり部３３に充満する。空気だまり部３３に充満した微粒子状の給湯水１２は、それに含まれていた溶存酸素や遊離炭酸、残留塩素が分離される。溶存酸素や遊離炭酸、残留塩素が分離された給湯水１２は、タンク２２の空気だまり部３３において水滴となって貯湯部３２に落下する。
【００４４】
タンク２２の貯湯部３２に収容（貯留）された給湯水１２は、貯湯部３２において所定の水位Ｌが維持されるとともに、流出ポンプ２８によってその所定量が流出管２５を通ってタンク２２の外部に流出した後、流出管２５から再び往管１６に戻される。なお、開放式脱気装置１０に流入せずに往管１６を流動する給湯水１２は、逆止弁３７を通って往管１６を進み、各室に向かう。
【００４５】
給湯水１２から分離されてタンク２２の空気だまり部３３に残存する溶存酸素や遊離炭酸、残留塩素は、空気だまり部３３の空気とともに排気管２７の空気流入口４０から排気管２７に進入し、排気管２７を通って空気流出口４１からタンク２２の外部（大気）に放出される。なお、タンク２２の外部の空気（外気）は、給気管２６の空気流入口３８から給気管２６に進入し、給気管２６を通って空気流出口３９から空気だまり部３３に流入する。
【００４６】
開放式脱気装置１０では、空気（外気）が給気管２６を通って空気だまり部３３に給気されることで、空気だまり部３３に残存する空気の排気管２７から大気への放出が滞りなく行われる。なお、給気管２６が貯湯部３２を通るから、貯湯部３２に収容された給湯水１２によって給気管２６が加熱され、給気管２６内の空気が加熱される、その結果、給気管２６内の空気が給気流入口３８から空気流出口３９に向かって流動する。また、空気だまり部３３に存在する空気が、空気だまり部３３から排気管２７の給気流入口４０に向かって流動するとともに、排気管２７内の空気が排気管２７の空気流入口４０から空気流出口４１に向かって流動し、溶存酸素や遊離炭酸、残留塩素を含んだ空気が排気管２７から大気へ円滑に放出される。
【００４７】
圧力センサ３０は、タンク２２の貯湯部３２に溜まった給湯水１２の貯湯部３２の底位置における圧力（水圧）を連続的に測定し、測定信号（測定値）をコントローラ３１に送る。コントローラ３１は、圧力センサ３０から送られた測定信号に基づいて、ノズル２３から貯湯部３２に流入する給湯水１２の流入量と流出管２５を通って貯湯部３２から流出する給湯水１２の流出量とのバランスを保持するように、流出ポンプ２８の給湯水流量を調節する。
【００４８】
具体的にコントローラ３１は、圧力センサ３０から送られた測定信号（測定値）をそのデータ記憶装置に格納された電圧または周波数と水位または圧力との相関関係に当て嵌め、その水位または圧力に対応する電圧または周波数を特定し、特定した電圧または周波数を制御信号としてインバーター２９に出力する。インバーター２９は、コントローラ３１から出力された制御信号に従い、可変電圧・可変周波数の電源によって流出ポンプ２８（モーター）の回転速度を制御する。流出ポンプ２８は、インバーター２９による制御によってその回転数が所定値に維持され、タンク２２の貯湯部３２から所定量の給湯水１２を流出させる。
【００４９】
多量の給湯水１２が使用されないシステム１１の利用状態では、往管１６や還管１７を循環する給湯水１２の流量が大きく増減することはなく、コントローラ３１は、流出ポンプ２８（モーター）の回転速度を一定に維持し、貯湯部３２に溜まった給湯水１２の水位Ｌを一定に維持するように、貯湯部３２に流入する給湯水１２の流入量と貯湯部３２から流出する給湯水１２の流出量とのバランスを保持する。この場合、開放式脱気装置１０では、既述のように、給湯水１２がノズル２３から噴霧され、給湯水１２に含まれる溶存酸素や遊離炭酸、残留塩素が給湯水１２から分離され、溶存酸素や遊離炭酸、残留塩素が除去された給湯水１２が貯湯部３２から往管１６に戻される。
【００５０】
次に、循環給湯システム１１において多量の給湯水１２が使用され、システム１１において給湯水１２の使用量が急激に増加した場合におけるコントローラ３１の制御動作について説明する。往管１６に取り付けられた給湯栓２１が開栓され、多くの給湯水１２が使用された場合、給湯水１２のうちの使用された減少分が高置水槽１５から貯湯槽１３に補給されるが、往管１６や還管１７を循環する給湯水１２の供給圧力が低下する。往管１６や還管１７を循環する給湯水１２の供給圧力が低下すると、流入管２４から開放式脱気装置１０のタンク２２に流入する給湯水１２の流量が減少するとともに、ノズル２３から貯湯部３２に流入する給湯水１２の流入量が減少し、貯湯部３２に溜まった給湯水１２の水位Ｌが次第に下がる。
【００５１】
貯湯部３２において給湯水１２の水位Ｌが次第に下がると、圧力センサ３０によって測定される圧力が下がる。コントローラ３１は、圧力センサ３０から送られた測定信号（測定値）に基づいて貯湯部３２に溜まった給湯水１２の水位Ｌが下がったと判断すると、流出ポンプ２８に流れる給湯水１２の流量を減少させ、貯湯部３２に流入する給湯水１２の流入量と貯湯部３２から流出する給湯水１２の流出量とのバランスを保持する。
【００５２】
コントローラ３１は、データ記憶装置に格納された電圧または周波数と水位または圧力との相関関係に当て嵌め、その水位（給湯水１２の使用によって下がった水位Ｌ）または圧力（給湯水１２の使用によって下がった供給圧力）に対応する電圧または周波数を特定し、特定した電圧または周波数を制御信号としてインバーター２９に出力する。インバーター２９は、コントローラ３１から出力された制御信号に従い、可変電圧・可変周波数の電源によって流出ポンプ２８の回転速度を減少させる。流出ポンプ２８は、インバーター２９による制御によってその回転数が減少する。流出ポンプ２８の回転数が減少すると、タンク２２の貯湯部３２から流出する給湯水１２の量が低下する。この場合において開放式脱気装置１０では、給湯水１２がノズル２３から噴霧され、給湯水１２に含まれる溶存酸素や遊離炭酸、残留塩素が給湯水１２から分離され、溶存酸素や遊離炭酸、残留塩素が除去された給湯水１２が貯湯部３２から往管１６に戻される。
【００５３】
開放式脱気装置１０およびこの開放式脱気装置１０に流れる給湯水１２の流量を制御する流量制御方法は、循環給湯システム１１において給湯水１２の使用量が急激に増加し、往管１６や還管１７を循環する給湯水１２の圧力が低下してノズル２３から噴霧される給湯水１２の流入量が減り、タンク２２の貯湯部３２に溜まった給湯水１２の水位Ｌが下がるように変化したとしても、コントローラ３１が流出ポンプ２８に流れる給湯水１２の流量を減少させて給湯水１２の流入量と流出量とのバランスを保持するから、貯湯部３２における給湯水１２の水位Ｌが急激に低下することはなく、排気管２７からタンクの空気だまり部３３への外気の進入を防ぐことができ、空気だまり部３３に残存する溶存酸素や遊離炭酸、残留塩素を空気とともに大気に確実に放出することができる。
【００５４】
次に、循環給湯システム１１において使用されていた多量の給湯水１２のその使用が急激に減少した場合におけるコントローラ３１の制御動作について説明する。往管１６に取り付けられた給湯栓２１が閉鎖され、多量に使用されていた給湯水１２のその使用が減少した場合、往管１６や還管１７を循環する給湯水１２の水圧が上昇する。
【００５５】
往管１６や還管１７を循環する給湯水１２の供給圧力が上昇すると、流入管２４から開放式脱気装置１０に流入する給湯水１２の流量が増加するとともに、ノズル２３から貯湯部３２に流入する給湯水１２の流入量が増加し、貯湯部３２に溜まった給湯水１２の水位Ｌが次第に上がる。なお、このときの流出ポンプ２８が送出する給湯水１２の流量は、システム１１において給湯水１２の使用量が急激に増加した場合に対応する流量である。
【００５６】
給湯水１２の水位Ｌが次第に上がると、圧力センサ３０によって測定される圧力が上がる。コントローラ３１は、圧力センサ３０から送られた測定信号（測定値）に基づいて貯湯部３２に溜まった給湯水１２の水位Ｌが上がったと判断すると、流出ポンプ２８に流れる給湯水１２の流量を増加させ、貯湯部３２に流入する給湯水１２の流入量と貯湯部３２から流出する給湯水１２の流出量とのバランスを保持する。
【００５７】
コントローラ３１は、データ記憶装置に格納された電圧または周波数と水位または圧力との相関関係に当て嵌め、その水位（給湯水１２の使用中止によって上がった水位）または圧力（給湯水１２の使用中止によって上がった圧力）に対応する電圧または周波数を特定し、特定した電圧または周波数を制御信号としてインバーター２９に出力する。インバーター２９は、コントローラ３１から出力された制御信号に従い、可変電圧・可変周波数の電源によって流出ポンプ２８の回転速度を増加させる。流出ポンプ２８は、インバーター２９による制御によってその回転数が増加する。
【００５８】
流出ポンプ２８の回転数が増加すると、タンク２２の貯湯部３２から流出する給湯水１２の量が増加する。この場合において開放式脱気装置１０では、給湯水１２がノズル２３から噴霧され、給湯水１２に含まれる溶存酸素や遊離炭酸、残留塩素が給湯水１２から分離され、溶存酸素や遊離炭酸、残留塩素が除去された給湯水１２が貯湯部３２から往管１６に戻される。
【００５９】
開放式脱気装置１０およびこの開放式脱気装置１０に流れる給湯水１２の流量を制御する流量制御方法は、循環給湯システム１１において給湯水１２の使用量が急激に減少し、往管１６や還管１７を循環する給湯水１２の供給圧力が上昇してノズル２３から噴霧される給湯水１２の流入量が増え、タンク２２の貯湯部３２に溜まった給湯水１２の水位Ｌが上がるように変化したとしても、コントローラ３１が流出ポンプ２８に流れる給湯水１２の流量を増加させて給湯水１２の流入量と流出量とのバランスを保持するから、貯湯部３２における給湯水１２の水位Ｌが必要以上に上昇することはなく、給湯水１２による給気管２６の空気流出部３９の閉塞を防ぐことができ、空気だまり部３３に残存する溶存酸素や遊離炭酸、残留塩素を空気とともに大気に放出することができる。
【００６０】
図４は、開放式脱気装置１０を利用した場合の溶存酸素低減効果検証結果を示す図であり、図５は、開放式脱気装置１０を利用した場合の遊離炭酸低減効果検証結果を示す図である。図６は、開放式脱気装置１０を利用した場合の残留塩素低減効果検証結果を示す図である。それら図では、開放式脱気装置１０を稼働させない脱気なしを点線で示し、開放式脱気装置１０を稼働させた脱気ありを実線で示す。
【００６１】
図４の溶存酸素低減効果検証結果に示すように、開放式脱気装置１０を稼働させない脱気なしでは、時間が経過したとしても、給湯水１２に含まれる溶存酸素が給湯水１２から除去されず、溶存酸素が給湯水１２に高い濃度で残存することが分かる。それに対し、開放式脱気装置１０を稼働させた脱気ありでは、時間の経過とともに給湯水１２に含まれる溶存酸素が給湯水１２から次第に除去され、給湯水１２における溶存酸素の濃度を脱気なしよりも低いレベルにすることができる。したがって、開放式脱気装置１０およびこの開放式脱気装置１０に流れる給湯水１２の流量を制御する流量制御方法は、給湯水１２に含まれる溶存酸素の除去に極めて有効であることが分かる。
【００６２】
開放式脱気装置１０およびこの開放式脱気装置１０に流れる給湯水１２の流量を制御する流量制御方法は、循環給湯システム１１において溶存酸素除去機能が確実に機能し、それによって給湯水１２に含まれる溶存酸素を給湯水１２から除去することができ、給湯水１２における溶存酸素の濃度を低レベルにすることができるから、循環給湯システム１１において利用される往管１６や還管１７の腐食を防ぐことができ、往管１６や還管１７からの給湯水１２の漏水を防ぐことができる。
【００６３】
また、図５の遊離炭酸低減効果検証結果に示すように、開放式脱気装置１０を稼働させない脱気なしでは、時間が経過したとしても、給湯水１２に含まれる遊離炭酸が給湯水１２から除去されず、遊離炭酸が給湯水１２に高い濃度で残存することが分かる。それに対し、開放式脱気装置１０を稼働させた脱気ありでは、時間の経過とともに給湯水１２に含まれる遊離炭酸が給湯水１２から次第に除去され、給湯水１２における遊離炭酸の濃度を脱気なしよりも低いレベルにすることができる。したがって、開放式脱気装置１０およびこの開放式脱気装置１０に流れる給湯水１２の流量を制御する流量制御方法は、給湯水１２に含まれる遊離炭酸の除去に極めて有効であることが分かる。
【００６４】
開放式脱気装置１０およびこの開放式脱気装置１０に流れる給湯水１２の流量を制御する流量制御方法は、循環給湯システム１１において遊離炭酸除去機能が確実に機能し、それによって給湯水１２に含まれる遊離炭酸を給湯水１２から除去することができ、給湯水１２における遊離炭酸の濃度を低レベルにすることができるから、循環給湯システム１１において利用される往管１６や還管１７の腐食を防ぐことができ、往管１６や還管１７からの給湯水１２の漏水を防ぐことができる。
【００６５】
さらに、図６の残留塩素低減効果検証結果に示すように、開放式脱気装置１０を稼働させない脱気なしでは、時間が経過したとしても、給湯水１２に含まれる残留塩素が給湯水１２から有効に除去されず、その濃度が次第に低下するが、脱気ありに比較し、残留塩素の濃度が高いレベルで下げ止まることが分かる。それに対し、開放式脱気装置１０を稼働させた脱気ありでは、時間の経過とともに給湯水１２に含まれる残留塩素が給湯水１２から多量に除去され、給湯水１２における残留塩素の濃度を脱気なしよりも低いレベルにすることができる。したがって、開放式脱気装置１０およびこの開放式脱気装置１０に流れる給湯水１２の流量を制御する流量制御方法は、給湯水１２に含まれる残留塩素の除去に極めて有効であることが分かる。
【００６６】
開放式脱気装置１０およびこの開放式脱気装置１０に流れる給湯水１２の流量を制御する流量制御方法は、循環給湯システム１１において残留塩素除去機能が確実に機能し、それによって給湯水１２に含まれる残留塩素を給湯水１２から除去することができ、給湯水１２における残留塩素の濃度を低レベルにすることができるから、循環給湯システム１１において利用される往管１６や還管１７の腐食を防ぐことができ、往管１６や還管１７からの給湯水１２の漏水を防ぐことができる。
【符号の説明】
【００６７】
１０    開放式脱気装置
１１    循環給湯システム
１２    給湯水
１３    密閉型貯湯槽
１４    循環ポンプ
１５    高置水槽
１６    往管
１７    還管
１８    給水管
２２    タンク
２３    ノズル
２４    流入管
２５    流出管
２６    給気管
２７    排気管
２８    流出ポンプ
２９    インバーター
３０    圧力センサ（センサ）
３１    コントローラ
３２    貯湯部
３３    空気だまり部
３８    空気流入口
３９    空気流出口
４０    空気流入口
４１    空気流出口
Ｌ    水位
【図１】
0005950584.tif 000002
【図２】
0005950584.tif 000003
【図３】
0005950584.tif 000004
【図４】
0005950584.tif 000005
【図５】
0005950584.tif 000006
【図６】
0005950584.tif 000007